(57)【要約】【課題】室内機を小型化し、配線作業の作業性を向上できる空気調和機を提供する。【解決手段】室内機１と室外機とを外部配線７により電気的に接続する空気調和機において、室内機１に着脱自在に取り付けられるとともに電源コード６を載置する第１載置面５ａを有した電装ボックス５と、電装ボックス５に取り付けられるとともに電源コード６を接続する電源コード用端子板１４と、電源コード用端子板１４の上方に配されて電装ボックス５に取り付けられるとともに外部配線７を接続する外部配線用端子板１６と、電源コード６を押える第１押圧部２ａと外部配線７を載置する第２載置面２ｆとを有した電源コード押え２と、外部配線７を押える第２押圧部４ａを有した外部配線押え４とを備え、第１載置面５ａと第１押圧部２ａにより電源コード６を挟んでクランプするとともに、第２載置面２ｆと第２押圧部４ａにより外部配線７を挟んでクランプした。【選択図】図４
2007248011.tif 000002
【特許請求の範囲】
【請求項１】
室内機から延びる電源コードを有するとともに前記室内機と室外機とを外部配線により電気的に接続する空気調和機において、前記電源コード及び前記外部配線の一方を第１配線として他方を第２配線とし、前記室内機に着脱自在に取り付けられるとともに第１配線を載置する第１載置面を有した電装ボックスと、前記電装ボックスに取り付けられるとともに第１配線を接続する第１配線用端子板と、第１配線用端子板の上方に配されて前記電装ボックスに取り付けられるとともに第２配線を接続する第２配線用端子板と、第１配線を押える第１押圧部と第２配線を載置する第２載置面とを有した第１配線押えと、第２配線を押える第２押圧部を有した第２配線押えとを備え、第１載置面と第１押圧部により第１配線を挟んでクランプするとともに、第２載置面と第２押圧部により第２配線を挟んでクランプしたことを特徴とする空気調和機。
【請求項２】
第１配線が前記電源コードから成り、第２配線が前記外部配線から成ることを特徴とする空気調和機。
【請求項３】
第１、第２載置面に複数の微小突起を設けたことを特徴とする請求項１または請求項２に記載の空気調和機。
【請求項４】
第１、第２押圧部に複数の微小突起を設けたことを特徴とする請求項１〜請求項３のいずれかに記載の空気調和機。
【請求項５】
第２載置面は、第１配線用端子板と第２配線用端子板との絶縁板として機能することを特徴とする請求項１〜請求項４のいずれかに記載の空気調和機。
【発明の詳細な説明】
【技術分野】
【０００１】
本発明は、室内機と室外機とを配線により電気的に接続する空気調和機に関する。
【背景技術】
【０００２】
従来の空気調和機は特許文献１に開示されている。この空気調和機は室内機内に電装ボックスを備え、室外機に電気的に接続した配線が電装ボックスに接続される。これにより、室内機側から室外機が制御される。電装ボックスは室内機に対して着脱自在に取り付けられ、電装ボックスを取り外して配線を接続することにより空気調和機を容易に設置できるようになっている。
【０００３】
図６は従来の空気調和機の電装ボックスを示す分解斜視図である。電装ボックス５は回路基板１５を有し、電源コード用端子板１４と外部配線用端子板１６が横方向に並べて配置される。電源コード用端子板１４及び外部配線用端子板１６には外部側端子１４ａ、１６ａ及び内部側端子１４ｂ、１６ｂが設けられる。
【０００４】
電源コード用端子板１４の外部側端子１４ａに電源コード（不図示）が接続され、電源コードを介して商用電源から電源供給される。外部配線用端子板１６の外部側端子１６ａには室外機に接続した外部配線（不図示）が接続される。内部側端子１４ｂ、１６ｂには室内機の各電装部品に接続した内部配線（不図示）が接続される。尚、空気調和機がインバータ機種ではない場合、通常電源コード用端子板１４はアース端子を含めて３端子からなり、外部配線はアース線、圧縮機、室外ファンモータや四方弁用の端子として３端子から５端子またはそれ以上からなっている。
【０００５】
電源コード及び外部配線は電装ボックス５の載置面５ｎに載置され、引出口５ｄから引き出される。載置面５ｎにはネジ孔を有するボス５ｂ、５ｃが突設される。ボス５ｂ、５ｃ間の載置面５ｎには孔から成る係止部５ｅが形成される。ボス５ｃに対向して載置面５ｎから立ち上がる壁面には下方を開口した係止部５ｆが形成されている。
【０００６】
電源コード押え２はＬ字状に屈曲して形成され、挿通孔２ｃを一端に有するとともに爪部２ｂが他端に突設される。外部配線押え４は外部配線を覆うカバー状に形成され、後部（図中、手前側）に段差から成る押圧部４ｅが設けられる。押圧部４ｅの一端には挿通孔４ｃが形成され、爪部４ｂが他端に突設される。
【０００７】
電源コードは電源コード用端子板１４から延びてボス５ｂと係止部５ｅとの間に載置される。電源コード押え２は爪部２ｂが係止部５ｅに係止され、挿通孔２ｃに挿通されるネジ（不図示）をボス５ｂに螺合して電装ボックス５に取り付けられる。これにより、載置面５ｎと電源コード押え２によって電源コードを挟んでクランプし、電源コードの脱落を防止することができる。
【０００８】
外部配線は外部配線用端子板１６から延びてボス５ｃと係止部５ｆとの間に載置される。外部配線押え４は爪部４ｂが係止部５ｆに係止され、挿通孔４ｃに挿通されるネジ（不図示）をボス５ｃに螺合して電装ボックス５に取り付けられる。これにより、載置面５ｎと外部配線押え４の押圧部４ｅによって外部配線を挟んでクランプし、外部配線の脱落を防止することができる。
【０００９】
【特許文献１】実開平５−３６７８１号公報（第１図）
【発明の開示】
【発明が解決しようとする課題】
【００１０】
しかしながら、上記従来の空気調和機によると、電源用端子板１４と外部配線用端子板１６とが横方向に並ぶため電装ボックス５が大型になる。これにより、室内機が大型になる問題があった。あるいは、室内機の大きさを同じとした場合、内部に収納される熱交換器を小さくしなければならず、冷房や暖房の能力を落とさざるを得ない問題があった。
【００１１】
本発明は、室内機を小型化または室内機の大きさを変えずに能力を向上できる空気調和機を提供することを目的とする。
【課題を解決するための手段】
【００１２】
上記目的を達成するために本発明は、室内機から延びる電源コードを有するとともに前記室内機と室外機とを外部配線により電気的に接続する空気調和機において、前記電源コード及び前記外部配線の一方を第１配線として他方を第２配線とし、前記室内機に着脱自在に取り付けられるとともに第１配線を載置する第１載置面を有した電装ボックスと、前記電装ボックスに取り付けられるとともに第１配線を接続する第１配線用端子板と、第１配線用端子板の上方に配されて前記電装ボックスに取り付けられるとともに第２配線を接続する第２配線用端子板と、第１配線を押える第１押圧部と第２配線を載置する第２載置面とを有した第１配線押えと、第２配線を押える第２押圧部を有した第２配線押えとを備え、第１載置面と第１押圧部により第１配線を挟んでクランプするとともに、第２載置面と第２押圧部により第２配線を挟んでクランプしたことを特徴としている。
【００１３】
この構成によると、電源コードにより電力供給して室内機が駆動され、外部配線を介して室外機が駆動される。室内機を設置する際には電装ボックスに電源コード及び外部配線が接続される。電源コード及び外部配線の一方の第１配線は第１配線用端子板に接続され、他方の第２配線が第２配線用端子板に接続される。第１配線用端子板に接続された第１配線は第１配線押えの第１押圧部と電装ボックスの第１載置面との間に挟まれてクランプされる。これにより、第１配線の脱落が防止される。第２配線用端子板に接続された第２配線は第２配線押えの第２押圧部と第１配線用端子板の第２載置面との間に挟まれてクランプされる。これにより、第２配線の脱落が防止される。
【００１４】
また本発明は、上記構成の空気調和機において、第１配線が前記電源コードから成り、第２配線が前記外部配線から成ることを特徴としている。この構成によると、下方の第１配線用端子板に電源コードが接続され、上方の第２配線用端子板に外部配線が接続される。
【００１５】
また本発明は、上記構成の空気調和機において、第１、第２載置面に複数の微小突起を設けたことを特徴としている。この構成によると、線状または点状の微小突起が第１、第２載置に形成され、クランプされる第１、第２配線と第１、第２載置面との摩擦力が増加する。
【００１６】
また本発明は、上記構成の空気調和機において、第１、第２押圧部に複数の微小突起を設けたことを特徴としている。この構成によると、線状または点状の微小突起が第１、第２載置に形成され、クランプされる第１、第２配線と第１、第２押圧部との摩擦力が増加する。
【００１７】
また本発明は、上記構成の空気調和機において、第２載置面は、第１配線用端子板と第２配線用端子板との絶縁板として機能することを特徴としている。
【発明の効果】
【００１８】
本発明によると、第１配線用端子板の上方に第２配線用端子板を配置するため、電装ボックスの幅を狭くし、室内機の小型化を図ることができる。また、室内機の大きさを同じとした場合、内部に収納される熱交換器をより大きくすることができるので、冷房や暖房の能力を向上させることができる。また、第１配線押えに第２配線を載置する第２載置面を形成するため、第１配線用端子板の上方の第２配線用端子板に接続される第２配線を容易にクランプすることができる。
【００１９】
また本発明によると、第１配線が電源コードから成り、第２配線が外部配線から成るので、電源コードの線数が外部配線よりも少ない場合、下方に配される第１配線用端子板の幅が上方の第２配線用端子板よりも狭くなる。このため、室内機に設置される電装ボックスの下部の幅を狭くすることができる。従って、室内機の下部に設置される電装部品を幅の狭い電装ボックス下部に隣接して配することができ、室内機の収納効率を向上して小型化を図ることができる。
【００２０】
また本発明によると、第１、第２載置面に複数の微小突起を設けたので、第１、第２配線の脱落をより確実に防止することができる。
【００２１】
また本発明によると、第１、第２押圧部に複数の微小突起を設けたので、第１、第２配線の脱落をより確実に防止することができる。
【００２２】
また本発明によると、第２載置面は、第１配線用端子板と第２配線用端子板との絶縁板として機能するので、第１、第２配線の短絡を防止することができる。
【発明を実施するための最良の形態】
【００２３】
以下に本発明の実施形態を図面を参照して説明する。説明の便宜上、前述の図６に示す従来例と同一の部分は同一の符号を付している。図１は一実施形態の空気調和機の室内機を示す斜視図である。室内機１は電源コード６（第１配線）を介して商用電源から電源供給される。また、室内機１は外部配線７（第２配線）により室外機（不図示）に接続され、室内機１側から室外機が制御される。
【００２４】
室内機１は室内の壁面に取り付けられたキャビネット１０の前面に前面パネル１１が取り付けられる。前面パネル１１の上部には吸込口１１ａが形成され、下部には吹出口１１ｂが形成される。室内機１の側面には蓋（不図示）により開閉可能な開口部１ａが形成される。
【００２５】
図２は前面パネル１１を取り外した状態を示す室内機１の斜視図である。キャビネット１０には吸込口１１ａ（図１参照）に対向配置される熱交換器１２が設けられる。吸込口１１ａから室内機１内に取り込まれた空気が熱交換器１２と熱交換して吹出口１１（図１参照）から吹出される。これにより、室内の空気調和が行われる。
【００２６】
キャビネット１０の開口部１ａ側には電源コード６及び外部配線７を接続する電装ボックス５が配される。電源コード６及び外部配線７は室内機１からの接続先が異なるため電装ボックス５内に別々に引き込まれる。また、室内機１の各電装部品は電装ボックス５の内部またはそれに隣接して配置され、内部配線（不図示）を介して接続される。室内機１の各電装部品は室内機１の側方に配置され、安定性が向上されている。電装ボックス５はキャビネット１０に対して着脱自在に設けられる。これにより、室内機１を設置する際に電源コード６及び外部配線７を容易に接続できるようになっている。
【００２７】
図３、図４は電装ボックス５の斜視図及び分解斜視図である。また、図５は電装ボックス５の断面図を示している。電装ボックス５は端部に立設される回路基板１５を保持し、回路基板１５に垂直な第１載置面５ａを有している。第１載置面５ａは後述するように電源コード６が載置される。第１載置面５ａの後部にはネジ孔を有するボス５ｋが突設される。第１載置面５ａの回路基板１５から離れた側には垂直面５ｍが形成され、垂直面５ｍに連続する水平面５ｈがボス５ｋと同じ高さに形成されている。
【００２８】
電源コード６を接続する電源コード用端子板１４（第１配線用端子板）には挿通孔１４ｃが形成される。挿通孔１４ｃに挿通したネジ１９を第１載置面５ａに形成したネジ孔５ｊに螺合して電源コード用端子板１４が第１載置面５ａに取り付けられる。外部配線７を接続する外部配線用端子板１６（第２配線用端子板）には挿通孔１６ｃが形成される。挿通孔１６ｃに挿通したネジ２０をボス５ｋに螺合して外部配線用端子板１６がボス５ｋ及び水平面５ｈ上に取り付けられる。これにより、電源コード用端子板１４の上方に外部配線用端子板１６が配置される。
【００２９】
電源コード用端子板１４及び外部配線用端子板１６には水平に並ぶ外部側端子１４ａ、１６ａ及び内部側端子１４ｂ、１６ｂが設けられる。電源コード用端子板１４の外部側端子１４ａに電源コード６が接続され、外部配線用端子板１６の外部側端子１６ａに外部配線７が接続される。内部側端子１４ｂ、１６ｂには室内機１の各電装部品に接続した内部配線（不図示）が接続される。
【００３０】
第１載置面５ａにはネジ孔を有するボス５ｂが突設される。ボス５ｂの側方の第１載置面５ａ上には複数の線状の微小突起５ｇが並設されている。微小突起５ｇを点状に複数形成してもよい。
【００３１】
また、微小突起５ｇに対してボス５ｂと反対側の側方には下方に空間を有する係止部５ｅがリブ間に橋架して形成される。係止部５ｅの側方には電装ボックス５の側壁面の下部を開口した係止部５ｆが形成されている。
【００３２】
電源コード押え２（第１配線押え）は電源コード６を覆うカバー状に形成され、外部配線７を載置する第２載置面２ｆを有している。第２載置面２ｆ上にはネジ孔を有するボス２ｄが突設される。第２載置面２ｆの後部（図４の手前側）に段差から成る第１押圧部２ａが設けられる。第１押圧部２ａの一端には挿通孔２ｃ（図５参照）が形成され、他端には第２載置面２ｆと略同じ高さで延びる爪部２ｂが設けられる。また、ボス２ｄの側方及び第１押圧部２ａの下面には複数の線状の微小突起２ｅ、２ｇ（図５参照）が並設されている。微小突起２ｅ、２ｇを点状に複数形成してもよい。
【００３３】
外部配線押え４は外部配線７を覆うカバー状に形成され、後部（図中、手前側）に段差から成る第２押圧部４ａが設けられる。第２押圧部４ａの一端には挿通孔４ｃが形成され、爪部４ｂが他端に突設される。第２押圧部４ａの下面には複数の線状の微小突起４ｄ（図５参照）が並設されている。該微小突起を点状に複数形成してもよい。
【００３４】
電源コード用端子板１４に接続した電源コード６は第１載置面５ａ上のボス５ｂの側方に載置され、引出口５ｄから引き出される。電源コード押え２は爪部２ｂが係止部５ｅに係止され、挿通孔２ｃに挿通されるネジ１７をボス５ｂに螺合して電装ボックス５に取り付けられる。これにより、第１載置面５ａと電源コード押え２の押圧部２ａによって電源コード６を挟んでクランプし、電源コード６の脱落を防止することができる。
【００３５】
また、第１載置面５ａや第１押圧部２ａに設けた微小突起５ｇ、２ｇにより第１載置面５ａや第１押圧部２ａと電源コード６との摩擦力が増加する。これにより、電源コード６の脱落をより確実に防止することができる。
【００３６】
外部配線用端子板１６に接続した外部配線７は電源コード押え２のボス２ｄの側方に載置され、引出口５ｄから引き出される。外部配線押え４は爪部４ｂが係止部５ｆに係止され、挿通孔４ｃに挿通されるネジ１８をボス２ｄに螺合して電装ボックス５に取り付けられる。これにより、第２載置面２ｆと外部配線押え４の第２押圧部４ａによって外部配線７を挟んでクランプし、外部配線７の脱落を防止することができる。
【００３７】
また、第２載置面２ｆや第２押圧部４ａに設けた微小突起２ｅ、４ｄにより第２載置面２ｆや第２押圧部４ａと外部配線７との摩擦力が増加する。これにより、外部配線７の脱落をより確実に防止することができる。また、第２載置面２ｆは電源コード用端子板１４の端子部と外部配線用端子板１６の端子部との間に介在するため、両者の電気的な絶縁を行う役目も果たしている。
【００３８】
本実施形態によると、電源コード用端子板１４の上方に外部配線用端子板１６を配置するため、電装ボックス５の幅を狭くし、室内機１の小型化を図ることができる。また、室内機の大きさを同じとした場合、内部に収納される熱交換器をより大きくすることができるので、冷房や暖房の能力を向上させることができる。また、外部配線７を載置する第２載置部２ｆを電源コード押え２に形成するため、電源コード用端子板１４の上方の外部配線用端子板１６に接続される外部配線７を容易にクランプすることができる。
【００３９】
本実施形態において、外部配線用端子板１６の上方に電源コード用端子板１４を配置し、電源コード押え２と同様の部材により外部配線７を押えて外部配線押え４と同様の部材により電源コード６を押えてもよい。しかしながら、本実施形態のように、電源コード用端子板１４の上方に外部配線用端子板１６を配置するとより望ましい。
【００４０】
即ち、外部配線７の線数が電源コード６の線数よりも多い場合には、電源コード用端子板１４の幅が外部配線配線用端子板１６よりも狭くなる。このため、室内機１に設置される電装ボックス５の下部の幅を狭くすることができる。従って、室内機１の下部に設置される電装部品を幅の狭い電装ボックス５下部に隣接して配することができ、室内機１の収納効率を向上して小型化を図ることができる。
【００４１】
また、本実施形態において、外部側端子１４ａ、１６ａ及び内部側端子１４ｂ、１６ｂが上下に並ぶように電源コード用端子板１４及び外部配線用端子板１６を設置してもよい。また、微小突起５ｇ、２ｇ、２ｅ、４ｄは本実施形態に限定されず、摩擦力を増加できるようなものであれば他の形状や別部品で構成してもよいことは言うまでもない。
【産業上の利用可能性】
【００４２】
本発明によると、室内機と室外機とを配線により電気的に接続する空気調和機に利用することができる。
【図面の簡単な説明】
【００４３】
【図１】本発明の実施形態の空気調和機の室内機を示す斜視図
【図２】本発明の実施形態の空気調和機の室内機の前面カバーを取り外した状態を示す斜視図
【図３】本発明の実施形態の空気調和機の電装ボックスを示す斜視図
【図４】本発明の実施形態の空気調和機の電装ボックスを示す分解斜視図
【図５】本発明の実施形態の空気調和機の電装ボックスを示す断面図
【図６】従来の空気調和機の電装ボックスを示す分解斜視図
【符号の説明】
【００４４】
１    室内機
２    電源コード押え
２ａ  第１押圧部
２ｂ、４ｂ爪部
２ｆ  第２載置面
２ｅ、２ｇ、４ｄ、５ｇ  微小突起
４    外部配線押え
４ａ  第２押圧部
５    電装ボックス
５ａ  第１載置面
５ｅ、５ｆ  係止部
６    電源コード（第１配線）
７    外部配線（第２配線）
１０    キャビネット
１１    前面パネル
１４    電源コード用端子板（第１配線用端子板）
１５    回路基板
１６    外部配線用端子板（第２配線用端子板）
【図１】
2007248011.tif 000003
【図２】
2007248011.tif 000004
【図３】
2007248011.tif 000005
【図４】
2007248011.tif 000006
【図５】
2007248011.tif 000007
【図６】
2007248011.tif 000008